【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
コントローラ、メモリおよび少なくとも１つのスクリーンを含む拡張現実デバイスを含むシステムであって、
前記拡張現実デバイスは、
第１のユーザが現実世界の物理的位置に関連する、および現実世界の物理的位置に近似するデジタル空間の権利を購入することを可能にすることであって、デジタル空間が少なくとも４つの一意的な座標により定義されるボリュームを有し、各一意的な座標が経度、緯度および高度を有し、権利がデジタル空間内での拡張現実デジタルコンテンツの投稿を含み、視覚的評価に合わせて価格設定されるデジタル空間が拡張現実デジタルコンテンツが置かれる物理的位置のまわりの３６０°パノラマ画像を取得する、こと、
拡張現実デバイスを用いて第２のユーザにより目視される現実世界の物理的位置を確立すること、
第２のユーザの現実世界の物理的位置の一部またはすべてと関連する、あるいは該一部またはすべてに近似するライブデジタル空間を確立すること、
ライブデジタル空間内で示される拡張現実デジタルコンテンツを確立することであって、拡張現実デジタルコンテンツがデジタル空間の権利を購入する第１のユーザにより指定される、こと、および、
少なくとも１つのスクリーンが第２のユーザと物理的位置との間に置かれ、第２のユーザが物理的位置の方を向くときに、第２のユーザに対してスクリーン上でライブデジタル空間内の拡張現実デジタルコンテンツを提示すること、
を行うように構成されることを特徴とするシステム。
【請求項２】
前記拡張現実デバイスは、ユーザによって装着される、請求項１に記載のシステム。
【請求項３】
第１と第２のスクリーンはそれぞれ、異なる拡張現実デジタルコンテンツを表示するために適応される、請求項１に記載のシステム。
【請求項４】
デジタル空間は異なる高度にある多数のサブセクションへ分割され、異なる拡張現実デジタルコンテンツを表示する、請求項１に記載のシステム。
【請求項５】
前記拡張現実デバイスは、ユーザの位置および向きにかかわらず、前記物理的位置において、拡張現実デジタルコンテンツを維持する、請求項１に記載のシステム。
【請求項６】
コントローラ、メモリ、少なくとも１つのネットワークアダプタ、および少なくとも１つのスクリーンを含む拡張現実デバイスを含む装置であって、
前記拡張現実デバイスは、
第１のユーザが現実世界の物理的位置に関連する、および現実世界の物理的位置に近似するデジタル空間の権利を購入することを可能にするために、コントローラに接続された少なくとも１つのネットワークアダプタを介して無線的に移動可能であることであって、デジタル空間が少なくとも４つの一意的な座標により定義されるボリュームを有し、各一意的な座標が経度、緯度および高度を有し、権利がデジタル空間内での拡張現実デジタルコンテンツの投稿を含み、視覚的評価に合わせて価格設定されるデジタル空間が拡張現実デジタルコンテンツが置かれる物理的位置のまわりの３６０°パノラマ画像を取得する、こと、
拡張現実デバイスを用いて第２のユーザにより目視される現実世界の物理的位置を確立すること、
第２のユーザの現実世界の物理的位置の一部またはすべてと関連する、および該一部またはすべてに近似するライブデジタル空間を確立すること、
ライブデジタル空間内で示される拡張現実デジタルコンテンツを確立することであって、拡張現実デジタルコンテンツがデジタル空間の権利を購入する第１のユーザにより指定される、こと、および、
少なくとも１つのスクリーンが第２のユーザと物理的位置との間に置かれ、第２のユーザが物理的位置の方を向くときに、第２のユーザに対してスクリーン上でライブデジタル空間内の拡張現実デジタルコンテンツを提示すること、
を行うように構成されることを特徴とする装置。
【請求項７】
コントローラと少なくとも１つのネットワークアダプタは、拡張現実デバイスの全地球測位を与え、全地球測位は緯度、経度、および高度からなる、請求項６に記載の装置。
【請求項８】
少なくとも１つのネットワークアダプタは、拡張現実デバイスを少なくとも１つのリモートサーバーに接続し、該リモートサーバーは拡張現実デジタルコンテンツを拡張現実デバイスに提供する、請求項６に記載の装置。
【請求項９】
拡張現実デジタルコンテンツは２次元の画像を含む、請求項６に記載の装置。
【請求項１０】
拡張現実デジタルコンテンツは３次元の画像を含む、請求項６に記載の装置。
【請求項１１】
拡張現実デジタルコンテンツはビデオを含む、請求項６に記載の装置。
【請求項１２】
拡張現実デジタルコンテンツは肉眼には見えない、請求項６に記載の装置。
【請求項１３】
コントローラ、メモリ、センサ、および少なくとも１つのスクリーンを含む拡張現実デバイスであって、
前記拡張現実デバイスは、
第１のユーザが現実世界の物理的位置に関連する、および現実世界の物理的位置に近似するデジタル空間の権利を購入することを可能にすることであって、デジタル空間が少なくとも４つの一意的な座標により定義されるボリュームを有し、各一意的な座標が経度、緯度および高度を有し、権利がデジタル空間内での拡張現実デジタルコンテンツの投稿を含み、視覚的評価に合わせて価格設定されるデジタル空間が拡張現実デジタルコンテンツが置かれる物理的位置のまわりの３６０°パノラマ画像を取得し、購入がセンサにより認識されるユーザの関与に応じて行われる、こと、
拡張現実デバイスを用いて第２のユーザにより目視される現実世界の物理的位置を確立すること、
第２のユーザの現実世界の物理的位置の一部またはすべてと関連する、および該一部またはすべてに近似するライブデジタル空間を確立すること、
ライブデジタル空間内で示される拡張現実デジタルコンテンツを確立することであって、拡張現実デジタルコンテンツがデジタル空間の権利を購入する第１のユーザにより指定される、こと、および、
少なくとも１つのスクリーンが第２のユーザと物理的位置との間に置かれ、第２のユーザが物理的位置の方を向くときに、第２のユーザに対してスクリーン上でライブデジタル空間内の拡張現実デジタルコンテンツを提示すること、
を行うように構成されることを特徴とする拡張現実デバイス。
【請求項１４】
ユーザの関与は多数の異なるセンサにより認識される、請求項１３に記載の拡張現実デバイス。
【請求項１５】
コントローラは、前記ユーザの関与を、拡張現実デジタルコンテンツの明瞭度に関連づける、請求項１３に記載の拡張現実デバイス。
【請求項１６】
コントローラは、前記ユーザの関与を、拡張現実デジタルコンテンツの変形に関連づける、請求項１３に記載の拡張現実デバイス。
【請求項１７】
コントローラは、前記ユーザの関与を、物品またはサービスの購入に関連づける、請求項１３に記載の拡張現実デバイス。
【請求項１８】
コントローラは、拡張現実デジタルコンテンツに対する、指示、選択および回転のユーザの関与を区別するように構成される、請求項１３に記載の拡張現実デバイス。
【請求項１９】
コントローラは、デジタル空間の選択されたボリュームの価格を生成するように構成される、請求項１に記載の拡張現実システム。
【請求項２０】
コントローラは、デジタル空間の選択されたボリュームの価格を生成するように構成される、請求項６に記載の装置。
【請求項２１】
コントローラは、デジタル空間の選択されたボリュームの価格を生成するように構成される、請求項１３に記載の拡張現実デバイス。